(57)【要約】【課題】簡単で組立作業の容易な組立漁礁用連結具及びこれを用いた組立人工漁礁を提供する。【解決手段】開口部を枠柱で囲んで各面を構成した魚礁ブロックを組立連結させる組立漁礁用連結具であって、それぞれの端部に連結片を有した、四方突片の一方の対角部に、一組の空間部を少なくとも形成した支持体と、上記支持体の空間部に対応した空間部を有し、かつ上記連結片に対応した締付片を形成した一組の締付体とを組み合わせ、上記支持体の一組の空間部と上記締付体の空間部とで、連結すべき魚礁ブロックの枠柱同士を重合させずに包持し、緊締連結させる構造にしている。【選択図】図１
2008048657.tif 000002
【特許請求の範囲】
【請求項１】
開口部を枠柱で囲んで各面を構成した魚礁ブロックを組立連結させる組立漁礁用連結具であって、
それぞれの端部に連結片を有した、四方突片の一方の対角部に、一組の空間部を少なくとも形成した支持体と、
上記支持体の空間部に対応した空間部を有し、かつ上記連結片に対応した締付片を形成した一組の締付体とを組み合わせ、
上記支持体の一組の空間部と上記締付体の空間部とで、連結すべき魚礁ブロックの枠柱同士を重合させずに抱持し、緊締連結させるようにした組立漁礁用連結具。
【請求項２】
請求項１において、
上記支持体は、上記四方突片の他方の対角部に一組の補強片を、更に突出形成している組立漁礁用連結具。
【請求項３】
請求項１又は２において、
上記支持体の一組の空間部の内面、締付体の空間部の内面のうち、すくなくとも一方には弾性部材を貼着している組立漁礁用連結具。
【請求項４】
請求項１〜３の何れかにおいて、
上記支持体の連結片と、上記締付体の締付片との対応した部分には透孔が形成され、ボルト、ナットで緊締連結される構造にしている組立漁礁用連結具。
【請求項５】
請求項１〜３の何れかにおいて、
上記支持体の連結片と、上記締付体の締付片との対応した部分には、一方に通孔、他方にその通孔に貫通され、先端を曲げ加工される突片が形成されて緊締連結される構造にしている組立漁礁用連結具。
【請求項６】
開口部を枠柱で囲んで各面を構成された魚礁ブロックの枠柱同士を、請求項１〜６のいずれかに記載の組立漁礁用連結具を用いて、重合部を形成せずに段積みして構成された連結部を有した組立人工漁礁。
【請求項７】
請求項６において、
上記魚礁ブロックの上面には、餌料生物増殖床を設けている組立人工漁礁。
【発明の詳細な説明】
【技術分野】
【０００１】
本発明は、稚魚を育成するため海底に設置される人工漁礁を、簡単且つ効率良く組立連結するために使用される組立漁礁用連結具及びこれを用いた組立人工漁礁に関する。
【背景技術】
【０００２】
図７は、従来の組立人工漁礁の概略説明図である。
【０００３】
開口部１０１を枠柱１０２で囲んで各面を構成したコンクリート成型品を魚礁ブロック１１０として、段積して人工魚礁を製造することは、従来より公知であるが（例えば、特許文献１参照）、このような魚礁ブロック１１０は、予め、ボルトと、ボルト孔１０３を設けて連結部を構成したり、あるいは魚礁ブロック、それ自体に連結対応部分を形成して複雑な形状になっており、それを海底に沈める前に組立てたり、魚礁ブロック１１０のままで船に積み込み、ワイヤー１２０で海に吊り降ろし、海底１００に沈めてから、複数段に積み上げ連結して、人工魚礁２００として組み立てている。
しかしながら、魚礁ブロックの製造段階で、ボルトの植設やボルト孔を形成することは、製造工程が面倒であり、また、魚礁ブロックの移動時などにボルトを曲げたり、折損しまうおそれもあり、ボルト孔の位置付けも面倒である。更に、連結対応部分を形成した複雑な形状にしたものは、それ自体成型が困難な上にコストアップの要因になっている。
【０００４】
また、近時、魚礁ブロックの形状を六角形にして、ハニカム構造に組み立てたり、下段から上段に積み上げる魚礁ブロックの数を順次減らしてピラミッド型に組み立てる魚礁なども開発されている。
【特許文献１】特願平６−３１５８６０号
【発明の開示】
【発明が解決しようとする課題】
【０００５】
しかしながら、上記のいずれの組立漁礁２００も、魚礁ブロックを組立てる場合、図６の拡大図に示したように、上下の魚礁ブロック１１０の枠体１０２同士を重合した状態に積み上げ、連結される構造になっているため、組立魚礁としてのコンクリートの利用効率が悪い（実容積が少なくなってしまう）という問題があった。
【０００６】
本発明は、かかる課題を解決することを目的とするもので、漁礁ブロックにボルトやボルト孔を設けたり、魚礁ブロックを複雑な構造にすることなく、簡易に組立てることが出来るだけでなく、魚礁ブロックを構成するコンクリートなどの資源材料の利用効率に優れた組立漁礁用連結具及びこれを用いた人工漁礁を提供することを目的としている。
【課題を解決するための手段】
【０００７】
上記目的を達成するために提案される、請求項１に係る組立漁礁用連結具は、開口部を枠柱で囲んで各面を構成したブロック体のそれぞれの枠柱を緊締連結させるために使用され、それぞれの端部に連結片を有した、四方突片の一方の対角部に、一組の空間部を少なくとも形成した支持体と、上記支持体の空間部に対応した空間部を形成し、かつ上記連結片に対応した締付片を形成した一組の締付体とを組み合わせ、上記支持体の一組の空間部と上記締付体の空間部とで、連結すべき魚礁ブロックの枠柱同士を重合させずに包持し、緊締連結させるようにしている。
【０００８】
請求項２に係る組立漁礁用連結具は、上記支持体は、四方突片の他方の対角部に一組の補強片を突出形成している。
【０００９】
請求項３に係る組立漁礁用連結具は、支持体の一組の空間部の内面、締付体の空間部の内面のうち、すくなくとも一方には弾性部材を貼着している。
【００１０】
請求項４に係る組立漁礁用連結具は、支持体の四方突片と締付片との対応した部分には透孔が形成され、ボルト、ナットで緊締連結される構造にしている。
【００１１】
このようなボルト、ナットを用いた緊締連結態様としては、四方突片の連結片と、締付片の一方にボルトを植設し、他方には透孔を設けた構造にしてもよく、このようなものでは、貫通させたボルトの先端にナットを螺入させ、ネジ孔の場合にはボルトを螺合するだけで緊締連結出来る。
また、四方突片の連結片と、締付片の一方に透孔、他方には、ネジ孔を形成して、そのネジ孔にナットを固着して、上記透孔に挿入したボルトをネジ孔に螺入させて緊締連結される構造も可能である。
【００１２】
請求項５に係る組立漁礁用連結具は、支持体の四方突片と締付片との対応した連結部は、ボルト、ナットなどの緊締連結具を用いることなく、一方に通孔、他方にその通孔に貫通され、先端を曲げ加工される突片を形成して、緊締連結される構造にしている。
【００１３】
請求項６では、本発明の組立漁礁用連結具を用いて構成された組立人工魚層が提案されており、この組立魚礁は、開口部を枠柱で囲んで各面を構成された魚礁ブロックの枠柱同士を、請求項１〜５のいずれかに記載の組立漁礁用連結具を用いることで、重合部を形成せずに段積みした連結部を有した構造になっている。
【００１４】
さらに、請求項７では、組立魚礁を構成する魚礁ブロックの上面には、餌料生物増殖床を設けている。
【発明の効果】
【００１５】
本発明によれば、次のような効果がある。
請求項１に係る組立漁礁用連結具によれば、連結すべき漁礁ブロックのそれぞれの枠柱のコーナ部を支持体の対応する一組の空間部に当てがい、その状態で枠柱の外方から一組の締付体を被せて魚礁ブロックの枠柱を包持し、支持体の連結片と、締付体の締付片とを合致させ、両者をボルト、ナット等の止具で緊締連結することで、魚礁ブロックを所望の形状に組み立てることができるので、海底に沈める前に、組立てヤードなどで簡単に構築できる。
【００１６】
また、魚礁ブロックは、積み上げ連結する際に枠柱同士を重合させることなく、緊締連結できるので、コンクリートなど漁礁ブロックの資源材料の実容積を最大限にまで高めることができ、使用効率が良いうえ、コストダウン化を図ることができる。
【００１７】
さらに、魚礁ブロックは、それ自体にボルトを植設したり、ボルト孔を形成しない構造なので、既存のコンクリート成型品をそのまま利用すれば、更にコストダウン化が図れる。
【００１８】
請求項２に係る組立漁礁用連結具によれば、四方突片の他方の対角部に一組の補強片を突出形成しているため、高重量の魚礁ブロックであっても、支持体を変形させることなく十分な緊締連結強度が保持できる。
【００１９】
請求項３に係る組立漁礁用連結具によれば、上記支持体の一組の空間部を形成する内面、締付体の空間部を形成する内面のすくなくとも一方には弾性部材を貼着しているので、連結すべき魚礁ブロックのコーナ部と支持体の対応する空間部の接触面とに多少の凹凸があっても、それらを吸収して十分に保持することが出来る。
【００２０】
請求項４、５に係る組立漁礁用連結具は、四方突片の先端に設けた連結片と、締付片とを緊締連結する構造を具体化している。
【００２１】
請求項４では、四方突片と、締付片とはボルト、ナットで緊締連結されるので、ボルト、ナットの締付けによって十分な強度で確実に緊締できる。
【００２２】
また、請求項５に係る組立漁礁用連結具では、四方突片と、締付片の一方に通孔、他方に突片を形成して、この突片を通孔に貫通させたうえで曲げ加工して緊締連結される構造にしているので、ボルト、ナットのような部品は不要となり、取り扱いがよい。
【００２３】
請求項６に係る組立人工漁礁によれば、開口部を枠柱で囲んで各面を構成された魚礁ブロックの枠柱同士を、請求項１〜５のいずれかに記載の人工漁礁用連結具を用いて緊締連結した連結部を有しているので、前述した効果があり、資源材料の使用効率が良く、組立て作業の容易な人工漁礁を作業現場で簡単且つ確実に構築できる。また、請求項７に記載の組立人工漁礁によれば、餌料生物増殖床を設けているので、蟹や蝦などの幼生や、ゴカイなどの多毛類が増殖し、組立魚礁を棲家とする魚類の餌となる。
【発明を実施するための最良の形態】
【００２４】
以下、本発明に係る組立漁礁用連結具Ａ及びこれを用いた組立人工漁礁Ｂを図面とともに説明する。
【００２５】
図１は、本発明に係る組立漁礁用連結具Ａを用いて構築した、本発明の組立人工漁礁Ｂの一実施例を示す斜視図であり、図２は、図１の連結部を拡大して示す、要部の分解斜視図である。
【００２６】
漁礁ブロックＧは、コンクリート成型品、ポーラスコンクリート成型品、廃瓦を骨材としてコンクリートで固めた成型品など、硬質で堅牢な成型品として構成されているが、コンクリート成型品を使用する場合、既存のものがそのまま使用できる。
【００２７】
魚礁ブロックの形状は、例示のものでは、開口部Ｇ１を枠柱Ｇ２で囲んで各面を構成した正方六面体をなしているが、組立漁礁用連結具Ａを用いて包持し、緊締できる枠柱Ｇ２を備えたものであれば良く、異なる形状の漁礁ブロックであっても、それらの枠柱Ｇ２の形状に応じて、支持体と締付体との形状を変更をすれば適用可能である。
【００２８】
本発明の組立漁礁用連結具Ａは、図２で示すように、四方に向けて突出された四方突片１１・・・の一方の対角部に一組の空間部１３、１３を少なくとも形成した支持体１と、この支持体１の空間部１３、１３に対応した空間部２１、２１を設け、かつ四方突片１１の先端に設けた連結片１２・・・に対応する締付片２３・・・を形成した一組の締付体２、２とを組み合わせて構成されている。
【００２９】
緊締連結具Ａの一方の部材を構成する支持体１は、四方突片１１・・・の対角部に位置する、それぞれの２つの突片１１，１１の内面に、魚礁ブロックＧ、Ｇ´の枠柱Ｇ２、Ｇ２のコーナ部Ｇ２１、Ｇ２４を形成する２つの側面Ｇ２２、Ｇ２３、Ｇ２５、Ｇ２６に密着させる構造となっている。
また、支持体１の四方突片１１・・・の他方の対角部に形成される空間部１４、１４の中央には、一組の補強片５、５がリブ状に突出形成されている。
この補強片５は、魚礁ブロックが軽量のものでは必ずしも必要ではないが、重量の大きい魚礁ブロックを支持する際の強度を補強し、変形が防止できる。鋼板を三角状に形成し、これを支持体１の四方突片１１・・・の内面に溶接して形成できる。
【００３０】
緊締連結具の一方の部材である締付体２は、鋼板を略Ｌ字状に折曲加工して空間部２１を形成し、この空間部２１の内面に、支持体１によって包持される枠柱Ｇ２のコーナ部とは対角反対位置にあるコーナ部Ｇ２４、Ｇ２１を形成する２つの側面Ｇ２５、Ｇ２６、Ｇ２２，Ｇ２３を密着させる構造にしている。
【００３１】
なお、図示はしないが、支持体１の空間部１３を形成する内面や、締付体２の空間部２１を形成する内面のすくなくとも一方に、ゴムや樹脂などの弾性部材やゲル状のシートなどを貼着けておけば、魚礁ブロックＧ、Ｇ´の枠柱Ｇ２，Ｇ２の表面に多少の凹凸があっても吸収できる。
【００３２】
また、支持体１の四方突片１１の空間部１３や、締付体２の空間部２１の内面に、それらの内面を変形させて、リブ状の膨出部を形成してもよく、このような構造では、魚礁ブロックＧ、Ｇ´の枠柱Ｇ２，Ｇ２を２つの空間部１３，２１で包持した際に多少の隙間を生じても、強固に保持することができる。
【００３３】
このように形成された支持体１と締付体２は、連結すべき一方の漁礁ブロックＧの枠柱Ｇ２と、他方の魚礁ブロックＧ´の枠柱Ｇ２とを、図２に示す要領で支持体１の空間部１３，１３に宛がい、それぞれに締付体２、２を被せ包持するようにして、締付体２の締付片２３と、支持体１の連結片１２の各々に形成した円形の透孔１５、２４を合致させた後、その一方からボルト６を貫通させ、ナット７を螺合させることで、締付片２３と連結片１２とを緊締し、双方の魚礁ブロックＧ、Ｇ´の枠柱Ｇ２、Ｇ２同士を強固に連結させることが出来る。
【００３４】
ついで、本発明の組立魚礁連結具Ａを用いて、本発明の人工魚礁Ｂを構築する要領を説明する。
【００３５】
図１で示すように、１段目に配置すべき漁礁ブロックＧを適宜隙間を空けて、つまり、漁礁ブロック１個分の空間を適宜空けて配列して置き、１段目の魚礁ブロックの間隔を埋めるようにして、２段目となる魚礁ブロックＧを、クレーンなどで吊り上げ、１段目と２段目の漁礁ブロックＧ、Ｇの枠柱Ｇ２、Ｇ２同士を上記した要領で支持体１と締付体２とで包持してから、連結片１２と締付片２３とをボルト６、ナット７で緊締連結し、以下、同様な方法で、上、下の連結部Ｒは下段の漁礁ブロックＧ間に形成されている隙間を、その上段の魚礁ブロックＧで埋めるように段積し、左、右の連結部Ｒ´は、隣接する魚礁ブロックＧの枠柱Ｇ２同士を、組立漁礁用連結具Ａやその他の連結具を用いて緊締連結する。
【００３６】
本発明の組立漁礁は、このようにして漁礁ブロックを互いに重合させることなく積み上げ連結した連結部Ｒを有する構造なので、漁礁ブロックの実容積を最大限にまで高めることができ、したがって使用効率が良いうえ、コストダウン化を図ることができる。
また、このような本発明の組立魚礁では、すべての魚礁ブロック同士が、互いに重合させること積み上げ連結している必要はなく、特に構造的強度の要求される部分は、魚礁ブロックを重合させて連結してあってもよく、それらを除外するものではない。
【００３７】
また、組立魚礁Ｂのうち、上面に魚礁ブロックＧ被せられていない部分については、図６に示したように、素焼瓦、割石、間伐材、流木片などを、鋼製容器、籠、枠体などに固定したり、詰め込んだ餌料生物増殖ユニットＵを鉄バンドなどで固定してから、海中に投下すると、その餌料生物増殖ユニットＵの内部には蟹、蝦などの幼生、ゴカイなどの多毛類が増殖し、魚の餌床にもなる。したがって、蝟集機能が高く、かつ餌料培養機能、幼稚魚の保護育成に優れた組立魚礁が得られる。
【００３８】
図３〜図５は、本発明に係る組立漁礁用連結具Ａの他例を示す要部斜視図である。
【００３９】
なお、図１、２と共通する部位には、同一の番号を付し、重複説明は省略し、その特徴についてのみ説明する。
【００４０】
図３で示した連結具は、支持体１の上記連結片１２に突片８を形成するとともに、締付体２の締付片２３には対応した通孔２６を形成している。
【００４１】
このような構造であれば、支持体１のそれぞれの連結片１２に形成した突片８を、締付体２の対応した締付片１３に形成した通孔８に貫通させた後、それらの突片８の先端を曲げ加工することで、支持体１と締付体２とを緊締連結でき、ボルト、ナットのような余分な部品は不要となるので、一層有益である。
【００４２】
図４で示した連結具は、支持体１の連結片１２にボルト軸６´を植設すると共に、締付体２の締付片２３には、透孔２５を開設したものである。
【００４３】
本実施例では、支持体１の連結片１２にボルト軸６´を、締付体２の締付片２３に形成した透孔２５より突出させ、ナット７を螺合させるだけで緊締連結でき、ボルト、ナットのような余分な部品は不要となる。
【図面の簡単な説明】
【００４４】
【図１】本発明に係る組立漁礁用連結具及びこれを用いた組立人工漁礁の一実施例を示す斜視図である。
【図２】組立漁礁用連結具を示す、図１の一部を拡大した要部の分解斜視図である。
【図３】組立漁礁用連結具の他例を示す斜視図である。
【図４】組立漁礁用連結具の更に他例を示す斜視図である。
【図５】組立漁礁用連結具の更に他例を示す斜視図である。
【図６】本発明に係る組立漁礁用連結具の他例を示す図である。
【図７】従来の組立人工漁礁を示す図である。
【符号の説明】
【００４５】
Ａ      組立漁礁用連結具
Ｂ      組立人工漁礁
Ｇ、Ｇ´      漁礁ブロック
Ｇ１    開口部
Ｇ２    枠柱
Ｒ、Ｒ´    連結部
Ｕ    餌料生物増殖ユニット
１      支持体
１１    四方突片
１３  一組の空間部（支持体側）
１５  透孔
２６    通孔
２  一組の締付体
２３  締付片
２１  空間部（締付体側）
５      補強片
６      ボルト
６´    ボルト軸
７      ナット
８      突片
【図１】
2008048657.tif 000003
【図２】
2008048657.tif 000004
【図３】
2008048657.tif 000005
【図４】
2008048657.tif 000006
【図５】
2008048657.tif 000007
【図６】
2008048657.tif 000008
【図７】
2008048657.tif 000009